(57)【要約】【課題】議場等を多目的に利用したり、議会等の人員構成の変化に応じて議場に机および椅子を配置したりする場合に、机および椅子を収納や展開等のために移動させる際、机と椅子とを一緒に移動させ得るようにして、その机および椅子の収納や展開のための手間と時間を少なくすることにある。【解決手段】机１と椅子２とを一緒に移動させるための連動構造において、脚１ａで所定位置に立つとともにキャスタ４または台車にて移動可能な机１と、キャスタ２ｂにて移動可能な椅子２とのうちの机１に、椅子２のキャスタ２ｂに水平方向に押し引き可能に掛合するキャスタ受け板６を設けてなる、机および椅子用連動構造である。【選択図】図１
2006288888.tif 000002
【特許請求の範囲】
【請求項１】
机と椅子とを一緒に移動させるための連動構造において、
脚で所定位置に立つとともにキャスタまたは台車にて移動可能な前記机と、キャスタにて移動可能な前記椅子とのうちの少なくとも一方に、前記机と前記椅子とのうちの他方に水平方向に押し引き可能に掛合する掛合部を設けてなる、机および椅子用連動構造。
【請求項２】
前記机を、その机の天板の下方にキャスタにて移動可能な前記椅子を押し込み得るように構成し、
前記掛合部として、前記机の下部に、その机の天板の下方に押し込まれた前記椅子のキャスタと掛合する部材を設けてなる、請求項１記載の机および椅子用連動構造。
【請求項３】
前記机に、
前記キャスタと、
前記キャスタまたは前記脚を昇降させ、前記脚に対する前記キャスタの相対的な降下により前記机を持ち上げて移動可能にする昇降手段と、を設けてなる、請求項１または２記載の机および椅子用連動構造。
【請求項４】
机と椅子とを一緒に移動させるための連動構造において、
前記机を、その机の天板の下方にキャスタにて移動可能な前記椅子を押し込み得るように構成し、
前記机を持ち上げて移動可能にする台車に、
前記机の天板の下方に押し込まれた状態の前記椅子を囲いつつ、その机の天板またはそれを支持する机フレームの下方に少なくとも前部を挿入される台車フレームと、
前記台車フレームに設けられて支持部材を昇降させ、その支持部材の上昇により前記天板または前記机フレームを持ち上げて前記机を移動可能にする昇降手段と、を設けてなる、机および椅子用連動構造。
【請求項５】
前記昇降手段は、電動ポンプまたは手動ポンプから油圧を供給される油圧シリンダを有するものである、請求項３または４記載の机および椅子用連動構造。
【請求項６】
前記昇降手段は、手動または足動により増力機構を介して機械的に昇降する部材を有するものである、請求項３または４記載の机および椅子用連動構造。
【発明の詳細な説明】
【技術分野】
【０００１】
この発明は、机と椅子とを一緒に移動させる際に用いて好適な机および椅子用連動構造に関するものである。
【背景技術】
【０００２】
例えば議場、集会施設、会議室、オフィス等を多目的に利用したり、議会等の人員構成の変化に応じて議場に机および椅子を配置したりする場合には、机および椅子を収納や展開等のために移動させる必要がある。
【発明の開示】
【発明が解決しようとする課題】
【０００３】
しかしながら従来は、議場やオフィス等で使用される机と椅子とは別体になっていて、例えば椅子は通常キャスタが付いているためそのまま押して移動させるが、机は通常キャスタが付いていないため台車等で持ち上げて移動させることになり、例え机にキャスタが付いていても、何れにしても机と椅子とを別々に移動させる必要があることから、それらの移動に手間と時間がかかるという問題があった。
【課題を解決するための手段】
【０００４】
この発明は、上記課題を有利に解決することを目的とするものであり、請求項１記載のこの発明の机および椅子用連動構造は、机と椅子とを一緒に移動させるための連動構造において、脚で所定位置に立つとともにキャスタまたは台車にて移動可能な前記机と、キャスタにて移動可能な前記椅子とのうちの少なくとも一方に、前記机と前記椅子とのうちの他方に水平方向に押し引き可能に掛合する掛合部を設けてなるものである。
【０００５】
また、請求項４記載のこの発明の机および椅子用連動構造は、机と椅子とを一緒に移動させるための連動構造において、前記机を、その机の天板の下方にキャスタにて移動可能な前記椅子を押し込み得るように構成し、前記机を持ち上げて移動可能にする台車に、前記机の天板の下方に押し込まれた状態の前記椅子を囲いつつ、その机の天板またはそれを支持する机フレームの下方に少なくとも前部を挿入される台車フレームと、前記台車フレームに設けられて支持部材を昇降させ、その支持部材の上昇により前記天板または前記机フレームを持ち上げて前記机を移動可能にする昇降手段と、を設けてなるものである。
【発明の効果】
【０００６】
かかる机および椅子用連動構造にあっては、請求項１記載のものでは、脚で所定位置に立つとともにキャスタまたは台車にて移動可能な前記机と、キャスタにて移動可能な前記椅子とのうちの少なくとも一方に、前記机と前記椅子とのうちの他方に水平方向に押し引き可能に掛合する掛合部を設けてあるので、例えばキャスタまたは台車によって机を移動させることで、その机と掛合部を介して連動して椅子も移動することになる。
【０００７】
また、請求項４記載のものでは、机の天板の下方にキャスタにて移動可能な椅子を押し込んでから、台車フレームの少なくとも前部を机の天板またはそれを支持する机フレームの下方に挿入してその台車フレームで椅子を囲い、台車フレームの昇降手段で支持部材を上昇させて机を持ち上げて移動可能にすれば、その台車を移動させることで机が移動するとともにその机と連動して椅子も移動することになる。
【０００８】
従ってこの発明の机および椅子用連動構造によれば、議場、集会施設、会議室、オフィス等を多目的に利用したり、議会等の人員構成の変化に応じて議場に机および椅子を配置したりする場合に、机および椅子を収納や展開等のために移動させる際、机と椅子とを別々に移動させる必要がないので、その机および椅子の収納や展開のための手間と時間を少なくすることができる。
【０００９】
なお、この発明の机および椅子用連動構造においては、前記机を、その机の天板の下方にキャスタにて移動可能な前記椅子を押し込み得るように構成し、前記掛合部として、前記机の下部に、その机の天板の下方に押し込まれた前記椅子のキャスタと掛合する部材を設けると、簡易な構成で机と椅子との掛合が達成できるので好ましい。
【００１０】
また、この発明の机および椅子用連動構造においては、前記机に、前記キャスタと、前記キャスタまたは前記脚を昇降させ、前記脚に対する前記キャスタの相対的な降下により前記机を持ち上げて移動可能にする昇降手段と、を設けると、台車を使用しなくても机を移動させ得るので好ましい。
【００１１】
さらに、この発明の机および椅子用連動構造においては、前記昇降手段は、電動ポンプまたは手動ポンプから油圧を供給される油圧シリンダを有するものであると、受圧面差による油圧の増力作用により比較的小さい力で机を容易に持ち上げ得るので好ましい。
【００１２】
また、この発明の机および椅子用連動構造においては、前記昇降手段は、手動または足動により例えばトグル機構やカム機構やレバー機構やねじ機構等の増力機構を介して機械的に昇降する部材を有するものであると、簡易な構成で机を持ち上げ得るので好ましい。
【発明を実施するための最良の形態】
【００１３】
以下に、この発明の実施の形態を実施例によって、図面に基づき詳細に説明する。ここに、図１（ａ）および（ｂ）は、この発明の机および椅子用連動構造の第１実施例を具える、通常は議場となる多目的ホール用の机および椅子を上方および側方から見た移動状態で示す透視図、図１（ｃ）は、その第１実施例の連動構造を具える机および椅子を側方から見た使用状態で示す透視図、図２（ａ）〜（ｃ）は、その第１実施例の連動構造を具える机および椅子の移動の準備作業を示す説明図、図３（ａ）〜（ｃ）は、その第１実施例の連動構造を具える机および椅子の移動の前後に亘る作業を示す説明図であり、図中符号１は机、２は椅子をそれぞれ示す。
【００１４】
この第１実施例の机および椅子用連動構造における机１は、例えば二人用のもので、その机１の左右の側板１ａの内側の前後部にそれぞれ、例えば合計４本の、昇降手段としての油圧シリンダ３をそのピストンロッド３ａを下向きにして具えるとともに、それらのピストンロッド３ａの先端部である下端部にそれぞれ通常のキャスタ４を首振り自在に具え、さらにその机１の天板１ｂの側端部の下側に、全ての油圧シリンダ３と配管５ａで結合された手動式油圧ポンプ５を具えており、この油圧ポンプ５はハンドル５ｂの回転操作で、全ての油圧シリンダ３に加圧された作動油を同時に供給したり、全ての油圧シリンダ３から作動油を同時に抜き出したりすることができる。なお、天板１ｂ上には、起倒式の名札１ｃとペントレイ１ｄと図示しないマイクや投票装置等が設けられている。
【００１５】
さらにこの第１実施例における机１は、その机１の天板１ｂの下方に椅子２を座を下げた状態で肘の部分まで押し込み得る大きさを持つとともに、その机１の前部の下部に、手前側に浅い溝６ａを左右方向に延在させて持つ、掛合部の構成部材としてのキャスタ受け板６を、キャスタ４との干渉防止のための逃げを設けられて左右の側板１ａの下端部に固定されて具えている。一方、この実施例における椅子２は、その椅子２の複数本の脚２ａの先端部にそれぞれキャスタ２ｂを首振り自在に具える通常のものであり、上記キャスタ受け板６の溝６ａは、図１（ａ），（ｂ）に示すように、椅子２の前側に位置した二本の脚２ａの先端部のキャスタ２ｂと嵌まりあって、それら二個のキャスタ２ｂを介して少なくとも椅子２を水平方向に押し引き可能な程度の掛合力で、それらのキャスタ２ｂと掛合することができる。
【００１６】
かかる第１実施例の机および椅子用連動構造によって机１および椅子２を一緒に移動させる際には、作業者Ｗ（図では模式的に示す）が、先ず図２（ａ）に示すように、机１に接続された機器や配線（例えば会議場の机のマイクやイヤホンの配線）等を分離させ、次いで図２（ｂ）に示すように、椅子２の座が上がっている場合は下げる操作をし、次いで図２（ｃ）に示すように、椅子２を机１の天板１ｂの下方に押し込む。これによりその椅子２の前側の二個のキャスタ２ｂは、図３（ａ）に示すように、机１のキャスタ受け板６の溝６ａと掛合する。
【００１７】
しかる後、作業者Ｗは、図３（ａ）に示すように、ハンドル５ｂの回転操作で、全ての油圧シリンダ３に加圧された作動油を同時に供給して、それらの油圧シリンダ３のピストンロッド３ａを下向きに進出させ、これによりそれらのピストンロッド３ａの下端部のキャスタ４を下降させて、机１の脚としての左右側板１ａおよびキャスタ受け板６を床面Ｆから持ち上げて、机１を移動可能とする。
【００１８】
次いで作業者Ｗは、図３（ｂ）に示すように、例えば二人で、机１を押し引きして移動させ、このとき、二個の椅子２は各々、前側の二個のキャスタ２ｂでキャスタ受け板６の溝６ａひいては机１と掛合しているので、机１の移動に伴って、その机１と一緒に二個の椅子２も移動されることになる。なお、机１の持ち上げにより、机１のキャスタ受け板６の溝６ａと掛合する椅子２の前側の二個のキャスタ２ｂも持ち上げられ、ここでは椅子２は五本の脚２ａを放射状に有する通常のものであることから、椅子２は後ろ側の一本の脚２ａの一個のキャスタ２ｂのみで床面Ｆ上を走行することになる。従ってこの実施例によれば、椅子２の移動方向の変更を容易に行うことができる。
【００１９】
そして、机１および椅子２を所定の位置まで移動させた後、作業者Ｗは、図３（ｃ）に示すように、先の操作と逆向きの、ハンドル５ｂの回転操作で、全ての油圧シリンダ３から作動油を同時に抜き出して、それらの油圧シリンダ３のピストンロッド３ａを上向きに後退させ、これによりそれらのピストンロッド３ａの下端部のキャスタ４を上昇させて、机１の脚としての左右側板１ａおよびキャスタ受け板６を床面Ｆ上に下ろし、机１をその自重で床面Ｆ上に固定する。
【００２０】
従って、この第１実施例の机および椅子用連動構造によれば、議場を多目的に利用したり、議会等の人員構成の変化に応じて議場に机および椅子を配置したりする場合に、机１および椅子２を収納や展開等のために移動させる際、机１と椅子２とを別々に移動させる必要がないので、その机１および椅子２の収納や展開のための手間と時間を少なくすることができる。
【００２１】
さらに、この第１実施例の机および椅子用連動構造によれば、机１を、その机１の天板１ｂの下方にキャスタ２ｂにて移動可能な椅子２を押し込み得るように構成し、机１と椅子２との掛合部として、机１の下部に、その机１の天板１ｂの下方に押し込まれた椅子２のキャスタ２ｂと掛合するキャスタ受け板６を設けているので、簡易な構成で、しかも机１に椅子２を押し込むという簡単な作業で、机１と椅子２との掛合を達成することができる。
【００２２】
さらに、この第１実施例の机および椅子用連動構造によれば、机１に、キャスタ４と、そのキャスタ４を昇降させ、机１の脚としての左右側板１ａに対するキャスタ４の降下により机１を持ち上げて移動可能にする油圧シリンダ３と、を具えていることから、後述の如き台車を使用しなくても机１を移動させることができる。
【００２３】
さらに、この第１実施例の机および椅子用連動構造によれば、油圧シリンダ３が、手動式油圧ポンプ５から油圧を供給されることから、受圧面差による油圧の増力作用により、作業者Ｗが比較的小さい力でハンドル５ｂを回転操作しても机１を椅子２の脚２ａとともに容易に持ち上げることができる。
【００２４】
図４（ａ）および（ｂ）は、この発明の机および椅子用連動構造の第２実施例を具える、通常は議場となる多目的ホール用の机および椅子を上方および側方から見た移動状態で示す透視図、図４（ｃ）は、その第２実施例の連動構造を具える机および椅子を側方から見た使用状態で示す透視図、図５（ａ）〜（ｃ）は、その第２実施例の連動構造を具える机および椅子の移動の準備作業を示す説明図、図６（ａ）〜（ｃ）は、その第２実施例の連動構造を具える机および椅子の移動の前後に亘る作業を示す説明図であり、図中先の実施例と同様の部分はそれと同一の符号にて示す。
【００２５】
この第２実施例の机および椅子用連動構造は、椅子２の背２ｃが前方に倒せる構造になっている点、机１がその天板１ｂの下方に椅子２を座を下げるとともに背２ｃを前方に倒した状態で概ね全体的に押し込み得る大きさを持つ点および、机１が、その机１の前部の下部にキャスタ受け板６を具える代わりに、図４（ｂ）に示すように、机１の下部に、椅子２の全体が乗る大きさの例えばカーペット張りの鉄板からなる、掛合手段を構成する部材としての椅子受け板７を、キャスタ４との干渉防止のための逃げを設けられて左右の側板１ａの下端部に固定されて具えている点のみ、先の第１実施例と異なっており、それ以外は第１実施例と同一の構成とされている。
【００２６】
かかる第２実施例の机および椅子用連動構造によって机１および椅子２を一緒に移動させる際には、作業者Ｗ（図では模式的に示す）が、先ず図５（ａ）に示すように、机１に接続された機器や配線（例えば会議場の机のマイクやイヤホンの配線）等を分離させ、次いで図５（ｂ）に示すように、背２ｃを前に倒すとともに、椅子２の座が上がっている場合は下げる操作をして、椅子２全体の高さを低くし、次いで図５（ｃ）に示すように、椅子２を机１の天板１ｂの下方に押し込む。これによりその椅子２の五個全てのキャスタ２ｂは、図６（ａ）に示すように、机１の椅子受け板７上に乗ってその椅子受け板７と掛合する。
【００２７】
しかる後、作業者Ｗは、図６（ａ）に示すように、ハンドル５ｂの回転操作で、全ての油圧シリンダ３に加圧された作動油を同時に供給して、それらの油圧シリンダ３のピストンロッド３ａを下向きに進出させ、これによりそれらのピストンロッド３ａの下端部のキャスタ４を下降させて、机１の脚としての左右側板１ａおよび椅子受け板７を床面Ｆから持ち上げて、机１を移動可能とする。
【００２８】
次いで作業者Ｗは、図６（ｂ）に示すように、例えば二人で、机１を押し引きして移動させ、このとき、二個の椅子２は各々、椅子受け板７ひいては机１と掛合しているので、机１の移動に伴って、その机１と一緒に二個の椅子２も移動されることになる。
【００２９】
そして、机１および椅子２を所定の位置まで移動させた後、作業者Ｗは、図６（ｃ）に示すように、先の操作と逆向きの、ハンドル５ｂの回転操作で、全ての油圧シリンダ３から作動油を同時に抜き出して、それらの油圧シリンダ３のピストンロッド３ａを上向きに後退させ、これによりそれらのピストンロッド３ａの下端部のキャスタ４を上昇させて、机１の脚としての左右側板１ａおよび椅子受け板７を床面Ｆ上に下ろし、机１をその自重で床面Ｆ上に固定する。
【００３０】
従って、この第２実施例の机および椅子用連動構造によれば、議場を多目的に利用したり、議会等の人員構成の変化に応じて議場に机および椅子を配置したりする場合に、机１および椅子２を収納や展開等のために移動させる際、机１と椅子２とを別々に移動させる必要がないので、その机１および椅子２の収納や展開のための手間と時間を少なくすることができる。
【００３１】
さらに、この第２実施例の机および椅子用連動構造によれば、机１を、その机１の天板１ｂの下方にキャスタ２ｂにて移動可能な椅子２を押し込み得るように構成し、机１と椅子２との掛合部として、机１の下部に、その机１の天板１ｂの下方に押し込まれた椅子２の全てのキャスタ２ｂが乗る椅子受け板７を設けているので、簡易な構成で、しかも机１に椅子２を押し込むという簡単な作業で、机１と椅子２との掛合を達成することができる。
【００３２】
さらに、この第２実施例の机および椅子用連動構造によれば、油圧シリンダ３が、手動式油圧ポンプ５から油圧を供給されることから、受圧面差による油圧の増力作用により、作業者Ｗが比較的小さい力でハンドル５ｂを回転操作しても机１を椅子２の脚２ａとともに容易に持ち上げることができる。
【００３３】
図７（ａ），（ｂ）および（ｃ）は、この発明の机および椅子用連動構造の第３実施例を具える、通常は議場となる多目的ホール用の机および椅子を上方、側方および後方から見た移動状態でそれぞれ示す透視図、図８（ａ）〜（ｃ）は、その第３実施例の連動構造を具える机および椅子の移動の準備作業を示す説明図、図９（ａ）〜（ｄ）は、その第３実施例の連動構造を具える机および椅子の移動の前後に亘る作業を示す説明図であり、図中先の実施例と同様の部分はそれと同一の符号にて示す。
【００３４】
この第３実施例の机および椅子用連動構造における机１は、例えば二人用のもので、その机１の天板１ｂの下方に椅子２を座を下げた状態で肘の部分まで押し込み得る大きさを持つとともに、脚としての左右側板１ａを持つ通常のものであり、またこの第３実施例の机および椅子用連動構造における椅子２も、複数本の脚２ａの先端部にそれぞれキャスタ２ｂを持つ通常のものである。
【００３５】
しかしてこの第３実施例の机および椅子用連動構造は、図７（ａ）〜（ｃ）および図８（ｃ）に示すように、机１を持ち上げて移動可能にする台車８を具えており、この台車８は、机１の天板１ｂの下方に押し込まれた状態の椅子２を後方から囲いつつ、その机１の天板１ｂまたはそれを支持する机フレームの下方に前部から中央部までを挿入される、前方に開口部が開いた、上方から見て略コ字状の台車フレーム８ａを具えている。
【００３６】
また、この第３実施例の机および椅子用連動構造は、その台車フレーム８ａの下部の両側端部の前部および後部の左右の位置にそれぞれ、例えば合計４本の、昇降手段としての油圧シリンダ３をそのピストンロッドを下向きにして具えるとともに、それらのピストンロッドの先端部である下端部にそれぞれ通常のキャスタ４を首振り自在に具え、さらにその台車フレーム８ａの側端部に、全ての油圧シリンダ３と図示しない配管で結合された手動式油圧ポンプ５を具えており、この油圧ポンプ５はハンドル５ｂの回転操作で、全ての油圧シリンダ３に加圧された作動油を同時に供給したり、全ての油圧シリンダ３から作動油を同時に抜き出したりすることができる。
【００３７】
さらに、この第３実施例の机および椅子用連動構造は、その台車フレーム８ａの両側端部の前部および中央部にそれぞれ、例えば合計４本の、支持部材としての支持パッド８ｂを、上向きにかつねじ部材８ｃの回動により高さ調節可能に具えている。
【００３８】
かかる第３実施例の机および椅子用連動構造によって机１および椅子２を一緒に移動させる際には、作業者Ｗ（図では模式的に示す）が、先ず図８（ａ）に示すように、机１に接続された機器や配線（例えば会議場の机のマイクやイヤホンの配線）等を分離させ、次いで図８（ｂ）に示すように、椅子２の座が上がっている場合は下げる操作をしてから椅子２を机１の天板１ｂの下方に押し込み、次いで図８（ｃ）に示すように、それらの机１および椅子２の後方に台車８を配置して、図７（ａ）〜（ｃ）に示すように、その台車８を、椅子２を後方から囲むように、机１の天板１ｂまたはそれを支持する机フレームの下方に挿入し、その台車８の台車フレーム８ａの前部から中央部までを、机１の天板１ｂまたはそれを支持する机フレームの下方に位置させる。
【００３９】
しかる後、作業者Ｗは、図９（ａ）に示すように、ハンドル５ｂの回転操作で、全ての油圧シリンダ３に加圧された作動油を同時に供給して、それらの油圧シリンダ３のピストンロッドを下向きに進出させ、これによりそれらのピストンロッドの下端部のキャスタ４を台車フレーム８ａに対し相対的に下降させて台車フレーム８ａひいては４本の支持パッド８ｂを上昇させ、それらの支持パッド８ｂで机１の天板１ｂまたはそれを支持する机フレームを持ち上げて、机１の脚としての左右側板１ａを床面Ｆから持ち上げ、机１を移動可能とする。
【００４０】
次いで作業者Ｗは、図９（ｂ）に示すように、例えば二人で、机１を押し引きして移動させ、このとき、二個の椅子２は各々、台車８を介して机１と掛合しているので、机１の移動に伴って、その机１と一緒に二個の椅子２も移動されることになる。
【００４１】
そして、机１および椅子２を所定の位置まで移動させた後、作業者Ｗは、図９（ｃ）に示すように、先の操作と逆向きの、ハンドル５ｂの回転操作で、全ての油圧シリンダ３から作動油を同時に抜き出して、それらの油圧シリンダ３のピストンロッドを上向きに後退させ、これによりそれらのピストンロッドの下端部のキャスタ４を台車フレーム８ａに対し相対的に上昇させて、机１の脚としての左右側板１ａを床面Ｆ上に下ろし、机１をその自重で床面Ｆ上に固定する。その後、作業者Ｗは、図９（ｄ）に示すように、机１の天板１ｂまたはそれを支持する机フレームの下方の位置から後方へ台車８を引き出して、台車８を所定の場所に待機させる。
【００４２】
従って、この第３実施例の机および椅子用連動構造によれば、議場を多目的に利用したり、議会等の人員構成の変化に応じて議場に机および椅子を配置したりする場合に、机１および椅子２を収納や展開等のために移動させる際、机１と椅子２とを別々に移動させる必要がないので、その机１および椅子２の収納や展開のための手間と時間を少なくすることができる。
【００４３】
さらに、この第３実施例の机および椅子用連動構造によれば、油圧シリンダ３が、手動式油圧ポンプ５から油圧を供給されることから、受圧面差による油圧の増力作用により、作業者Ｗが比較的小さい力でハンドル５ｂを回転操作しても台車フレーム８ａとともに机１を容易に持ち上げることができる。
【００４４】
図１０は、上記第１〜第３実施例の机および椅子用連動構造を適用し得る多目的ホールを議場として使用している状態で示す一階部分の平面図、図１１は、その多目的ホールを議場として使用している状態で示す断面図であり、図中符号９はホール、１０は二階席の下に位置する収納庫をそれぞれ示す。
【００４５】
この多目的ホールを議場として使用する際には、例えば、図１０中上半部に示す２５席の議員席と、同図中下半部に示す、４席の区長・助役席を含む２２席の理事者席と、同図中右端部に示す議長・事務局長席および５席の書記席とを、ホール９内の所定位置にそれぞれ配置するものとされており、これらの席のうち、段上に位置する議長・事務局長席１１以外は全て、上記各実施例に示す二人用の机１と二台の椅子１との組合せと、それらの実施例と同様にして三人用に構成した机１と三台の椅子２との組合せとを適宜並べて用いることで、机と椅子とを配置することができ、一方、議長・事務局長席１１は、机と椅子とを乗せた段に上記第１，第２実施例と同様のキャスタ４付き油圧シリンダ３が設けられていて、そのキャスタ４を昇降させることで移動および固定を可能にしている。
【００４６】
図１２は、上記第１実施例の机および椅子用連動構造を用いて机と椅子とを一緒に移動させる場合に、議場用の机と椅子とを全て収納庫１０内へ収納するためのレイアウトを例示する平面図であり、図中符号１２は、上記多目的ホールをコンサート等に使用する場合に観客用に配置するパイプ椅子を重ねて移動可能に収容する台車、１３は分割したステージをそれぞれ示す。図示のように、上記第１実施例の机および椅子用連動構造によれば、議場用の机１と椅子２とを一緒にホール９と収納庫１０との間で移動させ得るとともに、それらの机１と椅子２とを全て収納庫１０内へ収納することができる。
【００４７】
図１３は、上記第２実施例の机および椅子用連動構造を用いて机と椅子とを一緒に移動させる場合に、議場用の机と椅子とを全て収納庫１０内へ収納するためのレイアウトを例示する平面図である。図示のように、上記第２実施例の机および椅子用連動構造によっても、議場用の机１と椅子２とを一緒にホール９と収納庫１０との間で移動させ得るとともに、それらの机１と椅子２とを全て収納庫１０内へ収納することができる。
【００４８】
図１４は、上記第３実施例の机および椅子用連動構造を用いて机と椅子とを一緒に移動させる場合に、議場用の机と椅子と台車とを全て収納庫１０内へ収納するためのレイアウトを例示する平面図である。図示のように、上記第３実施例の机および椅子用連動構造によれば、議場用の机１と椅子２とを一緒にホール９と収納庫１０との間で移動させ得るとともに、それらの机１と椅子２とを複数の台車８と共に、全て収納庫１０内へ収納することができる。
【００４９】
以上、図示例に基づき説明したが、この発明の机および椅子用連動構造は上述の例に限定されるものでなく、特許請求の範囲の記載の範囲内で適宜変更し得るものであり、例えば、油圧ポンプは電動式のものでも良い。また、この発明の机および椅子用連動構造においては、机や台車を昇降させる昇降手段は、手動または足動により例えばトグル機構やカム機構やレバー機構やねじ機構等の増力機構を介して機械的に昇降する部材を有するものでも良い。
【産業上の利用可能性】
【００５０】
かくしてこの発明の机および椅子用連動構造によれば、議場、集会施設、会議室、オフィス等を多目的に利用したり、議会等の人員構成の変化に応じて議場に机および椅子を配置したりする場合に、机および椅子を収納や展開等のために移動させる際、机と椅子とを別々に移動させる必要がないので、その机および椅子の収納や展開のための手間と時間を少なくすることができる。
【図面の簡単な説明】
【００５１】
【図１】（ａ）および（ｂ）は、この発明の机および椅子用連動構造の第１実施例を具える、通常は議場となる多目的ホール用の机および椅子を上方および側方から見た移動状態で示す透視図、（ｃ）は、その第１実施例の連動構造を具える机および椅子を側方から見た使用状態で示す透視図である。
【図２】（ａ），（ｂ），（ｃ）は、上記第１実施例の連動構造を具える机および椅子の移動の準備作業を示す説明図である。
【図３】（ａ），（ｂ），（ｃ）は、上記第１実施例の連動構造を具える机および椅子の移動の前後に亘る作業を示す説明図である。
【図４】（ａ）および（ｂ）は、この発明の机および椅子用連動構造の第２実施例を具える、通常は議場となる多目的ホール用の机および椅子を上方および側方から見た移動状態で示す透視図、（ｃ）は、その第２実施例の連動構造を具える机および椅子を側方から見た使用状態で示す透視図である。
【図５】（ａ），（ｂ），（ｃ）は、上記第２実施例の連動構造を具える机および椅子の移動の準備作業を示す説明図この発明の椅子用メモ台収納機構の他の一実施例を図１と同様の状態で示す側面図である。
【図６】（ａ），（ｂ），（ｃ）は、上記第２実施例の連動構造を具える机および椅子の移動の前後に亘る作業を示す説明図である。
【図７】（ａ），（ｂ），（ｃ）は、この発明の机および椅子用連動構造の第３実施例を具える、通常は議場となる多目的ホール用の机および椅子を上方、側方および後方から見た移動状態でそれぞれ示す透視図である。
【図８】（ａ），（ｂ），（ｃ）は、上記第３実施例の連動構造を具える机および椅子の移動の準備作業を示す説明図である。
【図９】（ａ），（ｂ），（ｃ），（ｄ）は、上記第３実施例の連動構造を具える机および椅子の移動の前後に亘る作業を示す説明図である。
【図１０】上記第１〜第３実施例の机および椅子用連動構造を適用し得る多目的ホールを議場として使用している状態で示す一階部分の平面図である。
【図１１】上記多目的ホールを議場として使用している状態で示す断面図である。
【図１２】上記第１実施例の机および椅子用連動構造を用いて机と椅子とを一緒に移動させる場合に、議場用の机と椅子とを全て収納庫内へ収納するためのレイアウトを例示する平面図である。
【図１３】上記第２実施例の机および椅子用連動構造を用いて机と椅子とを一緒に移動させる場合に、議場用の机と椅子とを全て収納庫内へ収納するためのレイアウトを例示する平面図である。
【図１４】上記第３実施例の机および椅子用連動構造を用いて机と椅子とを一緒に移動させる場合に、議場用の机と椅子と台車とを全て収納庫内へ収納するためのレイアウトを例示する平面図である。
【符号の説明】
【００５２】
１  机
１ａ  側版
１ｂ  天板
１ｃ  名札
１ｄ  ペントレイ
２  椅子
２ａ  脚
２ｂ  キャスタ
２ｃ  背
３  油圧シリンダ
３ａ  ピストンロッド
４  キャスタ
５  手動式油圧ポンプ
５ａ  配管
５ｂ  ハンドル
６  キャスタ受け板
７  椅子受け板
８  台車
８ａ  台車フレーム
８ｂ  支持パッド
８ｃ  ねじ部材
９  ホール
１０  収納庫
１１  議長・事務局長席
１２  台車
１３  ステージ
Ｆ  床面
Ｗ  作業者
【図１】
2006288888.tif 000003
【図２】
2006288888.tif 000004
【図３】
2006288888.tif 000005
【図４】
2006288888.tif 000006
【図５】
2006288888.tif 000007
【図６】
2006288888.tif 000008
【図７】
2006288888.tif 000009
【図８】
2006288888.tif 000010
【図９】
2006288888.tif 000011
【図１０】
2006288888.tif 000012
【図１１】
2006288888.tif 000013
【図１２】
2006288888.tif 000014
【図１３】
2006288888.tif 000015
【図１４】
2006288888.tif 000016